(57)【要約】【課題】  映像信号のカラー駆動時又はカラー駆動間に、必要に応じて、特定画素に対する画素値を適応的に変化させたり、ブラックフレームの挿入又はバックライトのブリンキン（ｂｌｉｎｋｉｎｇ）を通じて色混合を減少させ、色補償を通じて表現力を改善させるディスプレイ装置及びその装置の駆動方法を提供する。【解決手段】  本発明は、ディスプレイ装置及びその装置の駆動方法に関し、本発明の実施形態に係るディスプレイ装置は、入力される現在映像と前記現在映像の以前に入力された以前映像とを比較して映像の相関度を分析し、前記相関度の分析に応じて前記現在映像の補正水準を決定する映像分析部と、前記補正水準に基づいて前記現在映像で特定色をなす単位フレームの画素に対する画素値を変換して出力する映像変換部とを含む。【選択図】      図４
2013083978.tif 000002
【特許請求の範囲】
【請求項１】
第１映像を受信し、以前に駆動されるフレームの画素値を考慮し、前記第１映像から生成された赤色（Ｒ）フレーム、緑色（Ｇ）フレーム及び青色（Ｂ）フレームのいずれか一つに対して駆動電圧を補正する映像補正部と、
補正した前記駆動電圧に応じて、前記Ｒフレーム、Ｇフレーム及びＢフレームを順次ディスプレイする表示パネルと
を含むことを特徴とするディスプレイ装置。
【請求項２】
前記映像補正部は、前記Ｒフレーム、Ｇフレーム及びＢフレームのうち、１番目に駆動されるフレームの画素値を考慮して２番目に駆動されるフレームの駆動電圧を補正するか、２番目に駆動されるフレームの画素値を考慮して３番目に駆動されるフレームの駆動電圧を補正することを特徴とするとする請求項１に記載のディスプレイ装置。
【請求項３】
前記映像補正部は、前記第１映像を受信する前に受信した第２映像の画素の値を考慮し、前記駆動電圧を補正することを特徴とする請求項１に記載のディスプレイ装置。
【請求項４】
前記映像補正部は、前記以前に駆動されるフレームと前記補正されるフレームとの画素値の差を考慮して補正することを特徴とする請求項１に記載のディスプレイ装置。
【請求項５】
前記映像補正部は、前記フレームの領域別に補正することを特徴とする請求項１に記載のディスプレイ装置。
【請求項６】
前記映像補正部は、前記温度ファクタ（Ｆａｃｔｏｒ）を考慮して前記駆動電圧を補正することを特徴とする請求項１に記載のディスプレイ装置。
【請求項７】
前記映像補正部は、前記Ｒフレーム、Ｇフレーム及びＢフレームを順次駆動する場合、色混合を減少させるように前記駆動電圧を補正することを特徴とする請求項１に記載のディスプレイ装置。
【請求項８】
前記表示パネルは、ＲＧＢバックライトに同期化されて前記Ｒフレーム、Ｇフレーム及びＢフレームを順次ディスプレイすることを特徴とする請求項１に記載のディスプレイ装置。
【請求項９】
前記映像補正部は、前記Ｒフレーム、Ｇフレーム及びＢフレームを順次ディスプレイする際、特定階調値のフレームを挿入することを特徴とする請求項１に記載のディスプレイ装置。
【請求項１０】
前記映像補正部は、前記Ｒフレーム、Ｇフレーム及びＢフレームを順次ディスプレイする際、特定区間にバックライトがターンオフされるように制御することを特徴とする請求項１に記載のディスプレイ装置。
【請求項１１】
第１映像を受信するステップと、
以前に駆動されるフレームの画素値を考慮し、前記第１映像から生成された赤色（Ｒ）フレーム、緑色（Ｇ）フレーム及び青色（Ｂ）フレームのいずれか一つに対して駆動電圧を補正するステップと、
前記補正された駆動電圧に応じて、前記Ｒフレーム、Ｇフレーム及びＢフレームを順次ディスプレイするステップと
を含むことを特徴とするディスプレイ装置の駆動方法。
【請求項１２】
前記駆動電圧を補正するステップは、
前記以前に駆動されるフレームと前記補正されるフレームとの画素値の差を考慮して補正することを特徴とする請求項１１に記載のディスプレイ装置の駆動方法。
【請求項１３】
第１映像を受信するステップと、
前記第１映像から生成された赤色（Ｒ）フレーム、緑色（Ｇ）フレーム及び青色（Ｂ）フレームの間に少なくとも一つの色混合防止区間を挿入し、順次ディスプレイするステップと
を含むことを特徴とするディスプレイ装置の駆動方法。
【請求項１４】
前記ディスプレイするステップは、
前記Ｒフレーム、Ｇフレーム及びＢフレームを順次ディスプレイする際、特定階調値のフレームを挿入することを特徴とする請求項１３に記載のディスプレイ装置の駆動方法。
【請求項１５】
前記ディスプレイするステップは、
前記Ｒフレーム、Ｇフレーム及びＢフレームを順次ディスプレイする際、特定区間にバックライトがターンオフされるように制御することを特徴とする請求項１３に記載のディスプレイ装置の駆動方法。
【発明の詳細な説明】
【技術分野】
【０００１】
本発明は、ディスプレイ装置及びその装置の駆動方法に関し、より詳細には、例えば、ＣＦＬ（Ｃｏｌｏｒ  Ｆｉｌｔｅｒｌｅｓｓ  ＬＣＤ）の色混合防止を通じて色表現力を改善できるディスプレイ装置及びその装置の駆動方法に関する。
【背景技術】
【０００２】
ＬＣＤ（Ｌｉｑｕｉｄ  Ｃｒｙｓｔａｌ  Ｄｉｓｐｌａｙ）は、両基板の間に注入されている異方性誘電率を有する液晶層に電界を印加し、この電界の強さを調節して基板に透過する光の量を調節することにより、所望の画像信号を得る表示装置である。
【０００３】
従来、ＬＣＤの多くは、両基板の何れか一方の基板に赤（Ｒ）、緑（Ｇ）、青（Ｂ）の３原色からなるカラーフィルタ層を形成し、カラーフィルタ層に透過する光の量を調節することにより、所望のカラーを表示してきた。言い換えると、ＬＣＤは、光源として照射される白色光をＲ、Ｇ、Ｂのカラーフィルタ層に透過させるが、Ｒ、Ｇ、Ｂのカラーフィルタ層に透過する光の量を調節し、Ｒ、Ｇ、Ｂ色を合成することにより、所望のカラーを表示してきたのである。
【０００４】
このように、白色光と３色カラーフィルタ層を用いてカラーを表示するＬＣＤにおいては、Ｒ、Ｇ、Ｂ領域別にそれぞれ対応する画素が必要となるため、黒色を表示する場合より３倍多くの画素が必要となる。したがって、高解像度の画素を得るためには、液晶パネルの巧みな製造技術が求められる。なお、基板に別途のカラーフィルタ層を形成しなればならないという製造上の煩わしさがあり、カラーフィルタそのものの光透過率を向上しなければならない問題点があった。
【０００５】
このような観点から、最近では、Ｒ、Ｇ、Ｂの各色の独立した光源を順次周期的に点灯し、点灯周期に同期化して各画素に対応する色信号を加えることにより、フルカラーの画像を得ることができる３色光源を使用するＦＳＣ（Ｆｉｅｌｄ  Ｓｅｑｕｅｎｔｉａｌ  Ｃｏｌｏｒ）方式のＬＣＤが提案されてきたが、それは、ＣＦＬと呼ばれている。このようなＣＦＬは、液晶とＲ、Ｇ、ＢのＬＥＤを同期化させて順次駆動し、その色を累積して最終的に色を表現する。このとき、ＣＦＬの色表現力を決定する最も肝心な要素は、ＬＣＤ液晶の素早い動作、そしてバックライトとＬＣＤ動作の正確な同期化による色分離である。
【０００６】
図１は、一般のＣＦＬの動作原理及び色表現方法を示す図であり、図２は、ＣＦＬの色混合発生及び色表現力の低下を説明するための図である。図１に参照すると、一般にＣＦＬはＲＧＢ  ＬＥＤの光を液晶と同期化して順次点灯し、液晶はその光を分離して適切な明るさで透過する役割を果たし、人間により最終的にその色を累積して認識することができるように色を表現する。
【０００７】
このように、ＣＦＬのパネルは、カラーの表現のためにＲ、Ｇ、Ｂ映像を順次駆動するようになるが、このような連続したカラー駆動方式を通じて色を表現する場合、人の色認識傾向により、色割れ（Ｃｏｌｏｒ  Ｂｒｅａｋｕｐ）現象が生じるようになる。
【０００８】
言い換えると、一般にＣＦＬのカラー駆動は、液晶とバックライト駆動をいくら正確に同期化したとしても、図２に示すように、ＬＥＤの応答速度に比べてＬＣＤ液晶の応答速度が遅いため、正確な色分離ができなくなり、その結果、連続する色が混合することにより、色表現領域（Ｃｏｌｏｒ  Ｇａｍｕｔ）が小さくなり、色座標が変化する現象が生じている。
【先行技術文献】
【特許文献】
【０００９】
【特許文献１】韓国特開第２００７−００８８０００号公報
【特許文献２】韓国特許登録第７１２、４７１号
【特許文献３】日本特開第２０００−０１９９８８６号公報
【特許文献４】第２０００−０１１１８７１号公報
【発明の概要】
【発明が解決しようとする課題】
【００１０】
そこで、本発明の実施形態は、映像信号のカラー駆動時又はカラー駆動間に、必要に応じて、特定画素に対する画素値を適応的に変化させたり、ブラックフレームの挿入又はバックライトのブリンキン（ｂｌｉｎｋｉｎｇ）を通じて色混合を減少させ、色補償を通じて表現力を改善させるディスプレイ装置及びその装置の駆動方法を提供することを目的とする。
【課題を解決するための手段】
【００１１】
本発明の実施形態に係るディスプレイ装置の駆動方法は、第１映像を受信するステップと、以前に駆動されるフレームの画素値を考慮し、前記第１映像から生成された赤色（Ｒ）フレーム、緑色（Ｇ）フレーム及び青色（Ｂ）フレームのいずれか一つに対して駆動電圧を補正するステップと、前記補正された駆動電圧に応じて、前記Ｒフレーム、Ｇフレーム及びＢフレームを順次ディスプレイするステップとを含むことを特徴とする。
【００１２】
ここで、前記駆動電圧を補正することは、前記Ｒフレーム、Ｇフレーム及びＢフレームのうち、１番目に駆動されるフレームの画素値を考慮して２番目に駆動されるフレームの駆動電圧を補正するか、２番目に駆動されるフレームの画素値を考慮して３番目に駆動されるフレームの駆動電圧を補正することを特徴とする。
【００１３】
なお、前記駆動電圧を補正することは、前記第１映像を受信する前に受信した第２映像の画素の値を考慮し、前記駆動電圧を補正することを特徴とする。
【００１４】
更に、前記駆動電圧を補正することは、前記以前に駆動されるフレームと前記補正されるフレームとの画素値の差を考慮して補正することを特徴とする。
【００１５】
前記駆動電圧を補正することは、前記フレームの領域別に補正することを特徴とする。
【００１６】
なお、前記駆動電圧を補正することは、前記温度ファクタ（Ｆａｃｔｏｒ）を考慮して補正することを特徴とする。
【００１７】
前記駆動電圧を補正することは、前記Ｒフレーム、Ｇフレーム及びＢフレームを順次駆動する場合、色混合を減少させるように補正することを特徴とする。
【００１８】
一方、前記ディスプレイすることは、前記ＣＦＬ  ＬＣＤ（Ｃｏｌｏｒ  Ｆｉｌｔｅｒｌｅｓｓ  ＬＣＤ）とＲＧＢバックライトを同期化させて順次ディスプレイすることを特徴とする。
【００１９】
なお、前記ディスプレイすることは、前記Ｒフレーム、Ｇフレーム及びＢフレームを順次ディスプレイする際、特定階調値のフレームを挿入することを特徴とする。更に、前記ディスプレイすることは、前記Ｒフレーム、Ｇフレーム及びＢフレームを順次ディスプレイする際、特定区間にバックライトがターンオフされるように制御することを特徴とする。
【００２０】
なお、本発明の実施形態に係るディスプレイ装置の駆動方法は、第１映像を受信するステップと、前記第１映像から生成されたＲフレーム、Ｇフレーム及びＢフレームの間に少なくとも一つの色混合防止区間を挿入し、順次ディスプレイするステップとを含むことを特徴とする。
【００２１】
ここで、前記ディスプレイすることは、前記Ｒフレーム、Ｇフレーム及びＢフレームを順次ディスプレイする際、特定階調値のフレームを挿入することを特徴とする。なお、前記ディスプレイすることは、前記Ｒフレーム、Ｇフレーム及びＢフレームを順次ディスプレイする際、特定区間にバックライトがターンオフされるように制御することを特徴とする。
【００２２】
本発明の実施形態に係るディスプレイ装置の駆動方法は、現在入力される現在映像と前記現在映像の以前に入力された以前映像を受信し、受信した前記以前映像と前記現在映像とを比較して映像の相関度を分析するステップと、前記相関度の分析に応じて前記現在映像の補正水準を決定し、前記補正水準に応じて前記現在映像を変換させるステップとを含むことを特徴とする。
【００２３】
ここで、前記現在映像を変換させるステップは、前記現在映像の単位フレームが画素別に順次表示される際、特定色を有する単位フレームの画素に対する画素値を変換させることを特徴とする。
【００２４】
前記画素値の変換は、ブラックデータへの変換を含むことを特徴とする。なお、前記現在映像を変換させるステップは、前記現在映像の単位フレームが画素別に順次表示される際、特定色を有する両画素の単位フレームの間にブラックフレームを挿入することを特徴とする。
【００２５】
前記現在映像を変換させるステップは、前記現在映像の単位フレームが画素別に順次表示される際、特定色を有する単位フレームの画素が表示される時点に同期されてバックライトがターンオフされるように制御することを特徴とする。
【００２６】
前記現在映像を変換させるステップは、前記現在映像の単位フレームが画素別に順次表示される際、特定色を有する両画素の単位フレームが表示される間の時点に同期されてバックライトがターンオフされるように制御することを特徴とする。
【００２７】
本発明の実施形態に係るディスプレイ装置は、第１映像を受信し、以前に駆動されるフレームの画素値を考慮し、前記第１映像から生成された赤色（Ｒ）フレーム、緑色（Ｇ）フレーム及び青色（Ｂ）フレームのいずれか一つに対して駆動電圧を補正する映像補正部と、補正した前記駆動電圧に応じて、前記Ｒフレーム、Ｇフレーム及びＢフレームを順次ディスプレイする表示パネルとを含むことを特徴とする。
【００２８】
ここで、前記映像補正部は、前記Ｒフレーム、Ｇフレーム及びＢフレームのうち、１番目に駆動されるフレームの画素値を考慮して２番目に駆動されるフレームの駆動電圧を補正するか、２番目に駆動されるフレームの画素値を考慮して３番目に駆動されるフレームの駆動電圧を補正することを特徴とする。
【００２９】
なお、前記映像補正部は、前記第１映像を受信する前に受信した第２映像の画素の値を考慮し、前記駆動電圧を補正することを特徴とする。
【００３０】
前記映像補正部は、前記以前に駆動されるフレームと前記補正されるフレームとの画素値の差を考慮して補正することを特徴とする。前記映像補正部は、前記フレームの領域別に補正することを特徴とする。
【００３１】
なお、前記映像補正部は、前記温度ファクタ（Ｆａｃｔｏｒ）を考慮して前記駆動電圧を補正することを特徴とする。前記映像補正部は、前記Ｒフレーム、Ｇフレーム及びＢフレームを順次駆動する場合、色混合を減少させるように前記駆動電圧を補正することを特徴とする。
【００３２】
前記表示パネルは、ＲＧＢバックライトに同期化されて前記Ｒフレーム、Ｇフレーム及びＢフレームを順次ディスプレイすることを特徴とする。
【００３３】
前記映像補正部は、前記Ｒフレーム、Ｇフレーム及びＢフレームを順次ディスプレイする際、特定階調値のフレームを挿入することを特徴とする。前記映像補正部は、前記Ｒフレーム、Ｇフレーム及びＢフレームを順次ディスプレイする際、特定区間にバックライトがターンオフされるように制御することを特徴とする。
【００３４】
なお、本発明の実施形態に係るディスプレイ装置は、受信された第１映像から生成されたＲフレーム、Ｇフレーム及びＢフレームの間に少なくとも一つの色混合防止区間を挿入するように制御する映像補正部と、前記制御に従って前記Ｒフレーム、Ｇフレーム及びＢフレームを順次ディスプレイする表示パネルとを含むことを特徴とする。
【００３５】
ここで、前記映像補正部は、前記Ｒフレーム、Ｇフレーム及びＢフレームを順次ディスプレイする際、特定階調値のフレームを挿入することを特徴とする。
【００３６】
なお、前記映像補正部は、前記Ｒフレーム、Ｇフレーム及びＢフレームを順次ディスプレイする際、特定区間にバックライトがターンオフされるように制御することを特徴とする。
【００３７】
本発明の実施形態に係るディスプレイ装置は、入力される現在映像と前記現在映像の以前に入力された以前映像とを比較して映像の相関度を分析し、前記相関度の分析に応じて前記現在映像の補正水準を決定する映像分析部と、前記補正水準に基づいて前記現在映像で特定色をなす単位フレームの画素に対する画素値を変換して出力する映像変換部とを含むことを特徴とする。
【００３８】
ここで、前記映像分析部は、前記映像の相関度を分析する相関度分析部と、前記補正水準を決定するための補正係数を算出する演算部とを含むことを特徴とする。
【００３９】
なお、前記映像分析部は、第１メモリ部に連動し、前記第１メモリ部は前記以前映像及び前記現在映像を保存することを特徴とする。
【００４０】
前記映像変換部は、赤（Ｒ）、緑（Ｇ）、青（Ｇ）の画素別に単位フレーム映像が順次駆動される際、前記特定色を有する単位フレームの画素に対する画素値を変換したり、特定色を有する両画素の単位フレームの間にブラックフレームを挿入して前記現在映像を変換させることを特徴とする。
【００４１】
なお、前記映像変換部は、第２メモリ部に連動し、前記第２メモリ部はルックアップテーブル（ＬＵＴ）の形態として前記画素値を補正値として予め保存することを特徴とする。
【００４２】
前記映像変換部は、前記特定色を有する単位フレームの画素に対する階調（Ｇａｍｍａ）電圧を調節するために、前記画素値を変換することを特徴とする。
【００４３】
ここで、変換した前記特定色の画素に対する画素値は、ブラックデータの値を含むことを特徴とする。
【００４４】
前記映像変換部は、前記画素値の変換のために、前記相関度、前記補正水準、液晶の応答速度及びパネルの温度特性の少なくともいずれか一つの値を用いることを特徴とする。
【００４５】
なお、本発明の実施形態に係るディスプレイ装置は、入力される現在映像と前記現在映像の以前に入力された以前映像とを比較して映像の相関度を分析し、前記相関度の分析に応じて前記現在映像の補正水準を決定する映像分析部と、前記補正水準の決定に関連して前記現在映像で特定色を有する単位フレームが表示される際、バックライトをターンオフ制御する映像変換部とを含むことを特徴とする。
【００４６】
ここで、前記映像変換部は、赤（Ｒ）、緑（Ｇ）、青（Ｇ）の画素別に単位フレームの映像が順次駆動される際、前記特定色を有する単位フレームの画素が表示される時点又は特定色を有する両画素の単位フレームが表示される間の時点に同期されて前記バックライトをターンオフさせるように制御することを特徴とする。
【００４７】
なお、前記映像変換部は、ランプ駆動部に更に連動し、前記ランプ駆動部は前記映像変換部の要求に応じて前記バックライトがターンオフされるように制御することを特徴とする。
【００４８】
更に、前記映像変換部は、前記要求のための制御信号を生成し、生成した前記制御信号を前記ランプ駆動部に提供して前記バックライトが前記制御信号に同期されて動作されるようにすることを特徴とする。
【発明の効果】
【００４９】
以上説明したように本発明によれば、例えば、ＣＦＬの場合、Ｒ、Ｇ、Ｂの画素別に順次映像実現の際、特定画素の画素値を変換して表示したり、バックライトのブリンキン動作を行うことにより、カラーが混合して見える問題を改善し、色の表現領域も広げることにより、色の表現力が向上するようになる。その結果、画質の改善につながることが期待される。
【図面の簡単な説明】
【００５０】
【図１】一般的なＣＦＬの動作原理及び色表現方法を示す図である。
【図２】ＣＦＬの色混合発生及び色表現力の低下を説明するための図である。
【図３】本発明の実施形態に係るディスプレイ装置の構造を示す図である。
【図４】図３の映像補正部の細部構造を示す図である。
【図５】図３の映像補正部のカラー補正適用原理を説明するための図である。
【図６】図３の映像補正部における領域別の補正係数適用結果を説明するための図である。
【図７】図３のディスプレイ装置のブラックフレームを挿入する様々な駆動例を説明するための図である。
【図８】図３のディスプレイ装置の第１実施形態に係る駆動方法を示す図である。
【図９】図３のディスプレイ装置の第２実施形態に係る駆動方法を示す図である。
【発明を実施するための形態】
【００５１】
以下に添付図面を参照しながら、本発明の好適な実施形態について詳細に説明する。
【００５２】
図３は、本発明の実施形態に係るディスプレイ装置の構造を示す図である。図３に示すように、本発明の実施形態に係るディスプレイ装置は、タイミングコントローラ３００と、映像補正部３１０と、ゲート／ソースドライバ３２０＿１、３２０＿２と、表示パネル３３０と、電源電圧生成部３４０と、ランプ駆動部３５０と、バックライト３６０と、基準電圧生成部３７０の一部又は全部を含む。
【００５３】
まず、タイミングコントローラ３００は、グラフィックカードのようなインターフェース部に連動することができ、スカラー（Ｓｃａｌａｒ）及び制御信号生成部を含んでよい。ここで、グラフィックカードは外部から入力された映像データをディスプレイ装置の解像度に適するように変換して出力する。このとき、映像データは、無論Ｒ、Ｇ、Ｂのビデオデータで構成され、グラフィックカードはディスプレイ装置の解像度に適したクロック信号（ＤＣＬＫ）と垂直及び水平同期信号（Ｖｓｙｎｃ、Ｈｓｙｎｃ）等のような制御信号を発生する。スカラーは、仮にグラフィックカードから提供される８ビットのＲ、Ｇ、Ｂデータの提供を受けて６ビットに並べ直す等のデータ再整列過程を行うことができ、制御信号生成部はグラフィックカードからの制御信号に応答してゲート／ソースドライバ３２０＿１、３２０＿２のタイミング制御のためのタイミング信号等を発生するようになる。このとき、タイミングコントローラ３００を介して再整列されて生成されるＲ、Ｇ、Ｂデータ及びタイミング信号、即ち、制御信号は映像補正部３１０に提供される。無論、ここにおける制御信号は、システム設計者の思惑によりタイミングコントローラ３００からゲート／ソースドライバ３２０＿１、３２０＿２及びランプ駆動部３５０に直接提供されることができるため、本発明の実施形態においては、それに特に限定されることはない。
【００５４】
映像補正部３１０は、表示パネル３３０における色混合現象を防止するための一つの方法として連続的に入力される映像の画素別の変化量を分析して、仮に、分析結果に応じてカラーの階調、即ち、階調電圧を変化させることができるようにする方式として、表示パネル３３０内液晶の不足している応答速度を適応的に補償することができる。なお、他の方法としては、Ｒ、Ｇ、Ｂカラーの順次駆動の際、その間にブラックフレームを挿入したり、特定画素の駆動の際、ブラックフレームで駆動するようにすることで、カラー表現時にカラー間の応答時間の確保及び色混合を防止して、色表現力を改善することができる。このように、ブラックフレーム挿入のために、映像補正部３１０は、映像の画素別の変化量を分析して分析結果に応じて画素の間にブラックフレームを挿入したり、特定画素をブラックフレームに印加することができ、更には、ランプ駆動部３５０を制御してバックライト３６０をオフ（Ｏｆｆ）させるブリンキン動作を行うことができる。
【００５５】
上記のように機能するために、映像補正部３１０は、タイミングコントローラ３００から提供される映像データを受けて以前映像と現在映像とを比較して映像の相関度を分析し、分析を通じて補正範囲を決定するための補正係数を演算することができ、映像相関度、計算された補正係数及び別途の設定値等を用いて入力映像を変換して出力することができる。このとき、映像を変換するとは、カラーの階調を調節することができるように、特定画素の画素値を変換する他に、画素の間にブラックフレームを挿入すること、そして、バックライト３６０のブリンキン動作を行うこと等をすべて含むという意味である。無論、特定画素の画素値を変換することは、ブラックデータに変換することを含む。なお、設定値とは、予め把握している色階調間の液晶の変化量値と表示パネル３３０の温度特性を反映する温度値等を含むという意味である。
【００５６】
ゲートドライバ３２０＿１は、電源電圧生成部３４０から生成されたゲートオン／オフ電圧（ＶｇＨ、ＶｇＬ）の提供を受け、このとき提供されたゲートオン／オフ電圧（ＶｇＨ、ＶｇＬ）は、映像補正部３１０で提供する制御信号、或いは、タイミングコントローラ３００から提供され得る制御信号に同期されて表示パネル３３０のゲートライン（ＧＬ１〜ＧＬｎ）に印加される。このように、ゲート電圧印加の際、ゲートドライバ３２０＿１は、映像補正部３１０或いはタイミングコントローラ３００の制御により水平ライン別に順次提供することが望ましい。
【００５７】
ソースドライバ３２０＿２は、電源電圧生成部３４０から生成された共通電圧（Ｖｃｏｍ）、基準電圧生成部３７０から提供する基準電圧（Ｖｒｅｆ）（或いは、ガンマ電圧）を受け、映像補正部３１０からは補正されていない元映像又は補正されたＲ、Ｇ、Ｂ映像及び制御信号を受けることができる。ここで、共通電圧（Ｖｃｏｍ）は、表示パネル３３０の共通電極で提供するためのものであり、基準電圧（Ｖｒｅｆ）は、ソースドライバ３２０＿２内のＤ／Ａコンバータに提供されてカラー映像の階調を表現する際に用いられる。
【００５８】
言い換えると、映像補正部３１０から提供された元映像又は補正されたＲ、Ｇ、Ｂ映像は、Ｄ／Ａコンバータで提供することができるが、Ｄ／Ａコンバータで提供されたＲ、Ｇ、Ｂ映像のデジタル情報はカラーの階調が表現できるアナログ電圧に変換されて表示パネル３３０に提供される。このとき、Ｒ、Ｇ、Ｂ映像、即ち、階調電圧は映像補正部３１０から提供される制御信号に同期されて表示パネル３３０に提供されることができる。
【００５９】
表示パネル３３０は、第１基板及び第２基板、そしてその間に介在された液晶層で構成されてよい。このとき、第１基板は互いに交差して画素領域を定義するための複数のゲートライン（ＧＬ１〜ＧＬｎ）とデータライン（ＤＬ１〜ＤＬｎ）が形成され、その交差する画素領域には画素電極が形成される。そして、画素領域の一領域、より正確には、角にはＴＦＴ（Ｔｈｉｎ  Ｆｉｌｍ  Ｔｒａｎｓｉｓｔｏｒ）が形成される。このようなＴＦＴのターンオン動作の際、第１基板の画素電極と、仮に、第２基板の共通電極に印加された電圧の差分だけ液晶がツイスト（Ｔｗｉｓｔ）され、バックライト３６０のＲ、Ｇ、Ｂ光を順次透過させることができるようになる。ここで、Ｒ、Ｇ、Ｂの光を順次透過させるために、本発明の一実施形態に係る表示パネル３３０は、ＣＦＬ、即ち、カラーフィルタのない表示パネル３３０が望ましい。言い換えると、多様なカラーを有する単位フレームを形成するために、ＣＦＬは入力された映像の単位フレームに対してＲ、Ｇ、Ｂの光で表現される３つの単位フレームを形成して画像を実現するようになる。
【００６０】
電源電圧生成部３４０は、外部からの常用電圧、即ち、１１０Ｖ又は２２０Ｖの交流電圧が提供されて多様な大きさのＤＣ電圧を生成して出力する。例えば、ゲートドライバ３２０＿１のためには、ゲートオン電圧（ＶｇＨ）として、仮に、ＤＣ  １５Ｖ電圧を生成して提供することができ、ランプ駆動部３５０のためには、ＤＣ  ２４Ｖの電圧を生成して提供することができ、タイミングコントローラ３００のためには、ＤＣ  １２Ｖの電圧を生成して提供する等、多様な大きさの電圧を生成して提供することができる。
【００６１】
ランプ駆動部３５０は、電源電圧生成部３４０から提供された電圧を変換してバックライト３６０に提供することができる。なお、ランプ駆動部３５０は、バックライト３６０を構成するＲ、Ｇ、ＢのＬＥＤを順次駆動するための映像補正部３１０から提供される制御信号に同期されて動作することができる。なお、ランプ駆動部３５０は、バックライト３６０のＲＧＢ  ＬＥＤから均一の光が提供できるようにＬＥＤの駆動電流を調節するフィードバック回路を含むことができる。更に、ランプ駆動部３５０は、ＲＧＢ  ＬＥＤの順次駆動の際、場合によっては、映像補正部３１０から提供される制御信号に応じてＲＧＢのＬＥＤをすべてターンオフさせるブリンキン動作を行うように制御することができる。
【００６２】
バックライト３6０は、ＲＧＢ  ＬＥＤで構成され、表示パネル３３０の周縁にＲＧＢ  ＬＥＤが配置されるエッジ型（Ｅｄｇｅ  Ｔｙｐｅ）、表示パネル３３０の下段全体にＲＧＢ  ＬＥＤが配置される直下型（Ｄｉｒｅｃｔ  Ｔｙｐｅ）等の何れかの形態で構成されても構わない。ただ、本発明の実施形態により、バックライト３６０はランプ駆動部３５０の制御により、Ｒ、Ｇ、Ｂの光を順次提供したり、ブリンキン区間を含むように動作することが望ましい。
【００６３】
基準電圧生成部３７０は、ガンマ電圧生成部と称されてよく、電源電圧生成部３４０から、仮にＤＣ  １０Ｖの電圧が提供される場合、それを再び分割抵抗等を通じて複数の電圧に分割してソースドライバ３２０＿２に提供することができる。それにより、ソースドライバ３２０＿２は提供された複数の電圧を細部分割して、仮にＲ、Ｇ、Ｂデータの２５６階調を表現することができるようになる。
【００６４】
これまでは、説明の便宜のために好適な実施形態としてディスプレイ装置が全構成要素を独立的に備えるものとして説明してきた。しかし、上述の実施形態は、多様な形態で変形されてよい。別途の図に示してはいないが、例えば、図３に示すディスプレイ装置の映像補正部３１０はタイミングコントローラ３００の内部に含まれて構成されてよく、なお、ゲート／ソースドライバ３２０＿１、３２０＿２の何れか一方のドライバは表示パネル３３０に含まれて構成されてよい。仮に、ゲート／ソースドライバ３２０＿１、３２０＿２はＣＯＧ（Ｃｈｉｐ  Ｏｎ  Ｇｌａｓｓ）方式で表示パネル３３０に搭載されて構成されたり、表示パネル３３０の製造構成時にドライバが形成される領域にパネルの工程と同時に進み、ゲート／ソースドライバ３２０＿１、３２０＿２を形成することもできる。したがって、本発明は、図３を参照して説明した実施形態に特に限定されるものではない。
【００６５】
更に、本発明の実施形態に係るディスプレイ装置は、Ｒ、Ｇ、Ｂデータ及び制御信号を提供するための連結関係においても多様な変形が可能である。言い換えると、図３においては、映像補正部３１０がタイミングコントローラ３００から映像データ及び制御信号の提供を受けてデータを補正してソースドライバ３２０＿２に提供し、制御信号の維持又は再生成を通じてゲート／ソースドライバ３２０＿１、３２０＿２及びランプ駆動部３５０を制御することができると説明したが、本発明の実施形態に係るディスプレイ装置は、簡略に上述したが、タイミングコントローラ３００が映像補正部３１０との連携下で補正水準を考慮してゲート／ソースドライバ３２０＿１、３２０＿２、ランプ駆動部３５０の何れか一方を制御し、映像補正部３１０は映像データの補正のみを行った後、補正された映像データをソースドライバ３２０＿２に提供することができる。このような側面からも、本発明は図３を参照して説明した実施形態に特に限定するものではない。
【００６６】
図４は、図３の映像補正部の細部構造を示す図であり、図５は、図３の映像補正部のカラー補正適用原理を説明するための図であり、図６は、図３の映像補正部における領域別の補正係数適用結果を説明するための図である。なお、図７は、図３のディスプレイ装置のブラックフレームを挿入する様々な駆動例を説明するための図である。
【００６７】
図４を図３と併せて参照すると、映像補正部３１０は、映像分析部４００及び映像変換部４１０を含み、判断部、メモリ部及びスイッチング部の一部又は全部を更に含んでよい。ここで、映像分析部４００は、相関度分析部４０１及び演算部４０３を含む。
【００６８】
相関度分析部４０１は、仮に現在入力された入力映像に対する単位フレーム又はその単位フレームを分割したマクロブロックを単位として以前の単位フレーム映像又は二つ以上の単位フレーム映像を参照して現在フレーム映像の画素値の変化量等を分析する。このとき、相関度を分析するために、同じ位置に対応する画素を比較して画素値の変化量を分析することもできるが、特定画素の周辺画素値を用いたり、その周辺画素値の平均値を用いる等、多様な方式で相関度を分析することもできる。このような相関度分析のために、相関度分析部４０１はメモリ部に連動することができる。
【００６９】
なお、演算部４０３は、仮に、補正係数を算出するための演算を行って色階調間の補償水準を決定する。言い換えると、液晶の応答速度に対する色混合は画素値の変化量、表示パネル３３０の温度に応じて変化して差が生じかねないため、それにより、各場合による画素値の補償水準を調節しなければならない。即ち、色階調間液晶の変化量が大きければ、応答速度の影響を多く受けるため、色が混合するようになり、逆に、変化量が小さければ相対的に応答速度の影響を少なく受けるため、色が少し混合するようになる。なお、表示パネル３３０の温度が高い場合、液晶の応答速度は相対的にもっと早くなり、色混合量が少なくなり、温度が低い場合、応答速度は遅くなる。演算部４０３は、このようなことを考慮して色階調間の補償水準（Ｐｏｕｔ＿ｎ）を決定するようになるが、それは、式（１）及び式（２）のように表現されてよい。
【００７０】
【数１】
2013083978.tif 000003
式（１）及び式（２）において、Ｐｉｎ＿ｎとＰｉｎ（ｎ−１）とは、それぞれ現在色の階調と以前色の階調の画素値であり、Ｃｏｅｆｆは液晶の応答速度であり、それぞれＰｉｎ＿ｎ＞Ｐｉｎ（ｎ−１）である場合には、Ｒｉｓｉｎｇ応答速度であるＣｏｅｆｆ.ｒｉｓｉｎｇ、反対の場合は、Ｆａｌｌｉｎｇ応答速度であるＣｏｅｆｆ.ｆａｌｌｉｎｇを使用する。そして、ｔは、パネルの温度を意味する。
上記の補償数式は、以前色の画素値が現在色の画素値に映像を与えると仮定して提案されたものである。したがって、もし、実質的に２つのフレーム以上の画素値が影響を与えるようになったら、式（１）及び式（２）に補償係数を追加することにより、いくらでも変更が可能になる。
【００７１】
演算部４０３は、補償係数を計算するために、映像の各画素別に差等的に演算することができる。その理由は、映像の画素に応じて特定領域の画素は、（ｎ−１）番目色とｎ番目色の画素値とが近いので補正が不要になる場合もあるが、一方で、一部領域の場合、カラー及び画素値の差が大きいため、大幅な補正が必要になる場合がある。
【００７２】
したがって、映像変換部４１０は、図５でのように、変化量に応じてＬＣＤの応答速度に応じた色混合が生じる部分に対して補償値を追加或いは除去して画素を駆動することにより、上記の問題を解決することができるようになる。言い換えると、映像変換部４１０は、図６でのように、差等補償による映像を出力するようになるのである。そのために、映像変換部４１０は入力された画素値に計算された補正係数分だけ加算したり減算する方式で画素値を補正することができるが、メモリ部との連携下にルックアップテーブルの形態として保存される補正済み画素値を選択してソースドライバ３２０＿２に出力することも可能である。このような過程において、更に、映像変換部４１０はＲ、Ｇ、Ｂの特定画素に対する画素値をブラックデータの値で出力することもある。
【００７３】
一方、別途の図で示していないが、映像変換部４１０は、更に補正係数、映像相関度、設定値等を用いてカラーの階調を変化させたり、ブラックデータを挿入することと、バックライト３６０のブリンキンを行うことの何れがより効率が良いかを判断部を介して判断することができる。例えば、データの処理費用に鑑みてデータ処理量が基準値以上であると判断されると、階調変換よりはブリンキンを行うほうが効率がよいと判断することができる。このように判断される場合には、仮にスイッチング部を構成する少なくとも一つのスイッチング素子を制御してメモリ部と経路をオフさせた後、ランプ駆動部３５０との経路を新たに設定して制御信号を提供することにより、バックライト３６０のブリンキン動作を行うようにすることができる。
【００７４】
例えば、図７には、ブラックフレームの挿入のためのＬＣＤ及びＣＦＬ駆動の様々な例が提示されている。図７の（ａ）ないし（ｃ）から考えると、組合せ１はブラックフレームの画素値で提供する場合であり、組合せ２は組合せ１でブラックの画素値を提供していた方式の代わりに、バックライト３６０をオフさせてブリンキン動作を行うようにすることを示している。このような方式は、図７に示すように、ＬＣＤ或いはバックライトの駆動周波数に応じて多様に変更可能である。
【００７５】
図７を参照してより詳細に説明すると、本発明の実施形態に係るディスプレイ装置は、駆動周波数に応じて多様な画素印加方式が決定されてよい。例えば、６０Ｈｚで駆動する場合には、“ＲＧＢＢＲＧＢＢＲ”のような順で画素値を印加し、４８Ｈｚの駆動である場合には、“ＲＧＧＢＲＲＧＧＢＲ”のような順で画素値を印加することができ、４０Ｈｚの駆動である場合には、“ＲＧＧＢＢＲＲＧＧＢＢＲ”のような順で画素値を印加することができる。この場合、無論、各画素のカラーにマッチさせてバックライト３６０を構成するＲＧＢ  ＬＥＤを順次ターンオンさせる。このような駆動過程において、仮に、以前単位フレームの映像を現在単位フレームの映像とを比較した結果、補償が必要になると、特定カラーの画素値の代わりにブラック画素値を印加するようになるのである。又は、ブラックの画素値を印加する代わりにバックライト３６０のＲＧＢ  ＬＥＤをすべてオフさせてブリンキン動作を行うようにするのである。それに基づいて考えると、本発明の実施形態に係るディスプレイ装置は、特定画素と画素との間にブラックフレームを挿入したり、バックライト３６０のブリンキン動作を行うことも可能である。
【００７６】
図８は、図３のディスプレイ装置の第１実施形態に係る駆動方法を示す図である。図８を図３及び図４と併せて参照すると、ディスプレイ装置の映像分析部４００、より正確には、相関度分析部４０１は、仮にタイミングコントローラ３００で再整列して提供するＲ、Ｇ、Ｂの映像データを受信するようになる（Ｓ８０１）。
【００７７】
次いで、相関度分析部４０１は、仮に、別途のメモリ部に保存された以前単位フレーム映像を参照して現在入力された単位フレーム映像との相関度を分析する（Ｓ８０３）。ここで、相関度を分析することは、現在単位フレーム映像の特定画素を以前単位フレーム映像の特定画素又は周辺画素と比較する過程を意味してよい。
【００７８】
演算部４０３は、色階調間の補償水準を決定するために、仮に、相関度分析部４０１で行われる分析によるＲ、Ｇ，Ｂデータの演算を行う（Ｓ８０５）。このような過程で、演算部４０３はメモリ部に保存されている液晶の変化量や表示パネル３３０の温度特性等に関連する設定値を併せて考慮して補償水準を決定することができる。それに関連しては、上述の式（１）及び式（２）を参照して十分説明したため、これ以上の説明は省略する。
【００７９】
補償水準が決定されると、映像変換部４１０は補償係数を参照して現在入力されるＲ、Ｇ、Ｂ映像に対してカラーの画素値、即ち階調を適応的に変換したり、特定画素の間にブラックデータを挿入して出力する（Ｓ８０７）。ここで、階調を適応的に変換するとは、特定画素の階調電圧の大きさを調節することを通り越して、特定画素の画素値をブラックデータを出力することを含む意味である。例えば、特定画素であるＧに対して補償が行われるとすると、映像変換部４１０はＧの映像に対する画素値を変換してソースドライバ３２０＿２に出力するようになるのである。このような過程で、映像変換部４１０はメモリ部にルックアップテーブルの形態として保存される補正値を選択出力するようにすることで、早いデータ処理を行うことができるようになるのである。
【００８０】
結局、上述の過程を通じて、本発明の実施形態に係るディスプレイ装置、より正確には、ＣＦＬは色混合が生じず、色表現領域を広く維持することで、色表現力が向上した映像を表示パネル３３０に実現できる。
【００８１】
図９は、図３のディスプレイ装置の第２実施形態に係る駆動方法を示す図である。図９を図３、図４及び図８と併せて参照すると、本発明の実施形態に係るディスプレイ装置は、図８を参照して説明した第１実施形態にように特定画素の画素値を変換して出力するのではなく、第２実施形態として、特定画素の表示時点に、又は一つの画素と他の画素が表示される間の時点に同期させてバックライト３６０をオフさせる、所謂ブリンキン動作を行うということから相違している。
【００８２】
それにより、本発明の実施形態に係るディスプレイ装置は、図８のステップＳ８０１ないしＳ８０５と同様に、Ｒ、Ｇ、Ｂの映像データ受信（Ｓ９０１）、受信された以前映像と現在映像との相関度分析（Ｓ９０３）、分析を通じた現在映像の補正水準を決定（Ｓ９０５）する過程を同様に行うことができる。それに関連しては、図８を参照した第１実施形態を説明する過程で十分説明したため、これ以上の説明は省略する。
【００８３】
現在映像の補正水準が決定されると、即ち、或る画素の出力時点に、又は或る画素と次の画素の間にバックライト３６０のブリンキン動作を行うかが決定されると、ディスプレイ装置はそれに関連する制御信号を用いてバックライト３６０のブリンキン動作を行うようになる（Ｓ９０７）。
【００８４】
このようなバックライト３６０のブリンキン動作のために、映像変換部４１０は関連制御信号を新たに生成したり、又はタイミングコントローラ３００から提供された制御信号を変形した後、ランプ駆動部３５０に提供することができ、ランプ駆動部３５０は当該制御信号に応答して特定画素の表示時点又はその間の時点に同期されてバックライト３６０の特定色のＬＥＤをターンオフ制御するようになるのである。
【００８５】
結局、このような過程により、本発明のディスプレイ装置は第１実施形態と同様に、色表現力が向上した映像を表示パネル３３０に表示できるようになるのである。
【００８６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図２】
2013083978.tif 000004
【図３】
2013083978.tif 000005
【図４】
2013083978.tif 000006
【図５】
2013083978.tif 000007
【図７】
2013083978.tif 000008
【図８】
2013083978.tif 000009
【図９】
2013083978.tif 000010
【図１】
2013083978.tif 000011
【図６】
2013083978.tif 000012